(57)【特許請求の範囲】
【請求項１】
円柱状であって、
円周方向に沿って並列した複数の溝が外周面に形成されており、
前記溝は、凹部および凸部を底に有し、
前記凹部および前記凸部は、前記溝の長手方向において交互に形成されている、金型。
【請求項２】
前記溝の長手方向に垂直な方向の断面形状が略台形である、請求項１に記載の金型。
【請求項３】
前記凹部と前記凸部との深さの差が、２μｍ以上１０μｍ以下である、請求項１または２に記載の金型。
【請求項４】
円柱状体の外周面に、円周方向に沿って並列した複数の溝を形成する、１次切削工程、および、
前記１次切削工程で形成された前記溝の底に、凹部と、前記凹部より浅く形成された凸部とを、前記溝の長手方向において交互になるように形成する、２次切削工程、
を含む、金型の作製方法。
【請求項５】
光を透過可能に形成されたプリズム部を基材層上に備え、
前記プリズム部は、シート面に沿って複数並列するとともに、凸部および凹部を頂部に有し、
前記凸部および前記凹部は、前記プリズム部の長手方向において交互に形成されている、プリズムシート。
【請求項６】
請求項５に記載のプリズムシートの前記プリズム部間に、光を吸収可能な光吸収部を備え、
前記光吸収部上に形成された凹部と前記プリズム部が有する前記凹部とに、導電材料が充填されている、光学機能シート。
【請求項７】
基材層上に、光を透過可能に形成されたプリズム部と、前記プリズム部間において光を吸収可能に形成された光吸収部とを備え、
前記プリズム部は、シート面に沿って複数並列するとともに、長手方向において交互に形成されている凸部および凹部を頂部に有し、
前記光吸収部上に形成された凹部および前記プリズム部の頂部の凹部に導電材料が充填されている、光学機能シートの製造方法であって、
請求項１〜３のいずれかに記載の金型と前記基材層との間に、前記プリズム部を構成する樹脂を供給しつつ、前記基材層上で前記金型を回転させ、前記樹脂を硬化させることによって、前記基材層上に、前記凹部および前記凸部を頂部に有する前記プリズム部を形成する工程と、
前記プリズム部間に、光吸収粒子および前記光吸収粒子を分散させる樹脂からなるバインダを含む黒樹脂インキを充填し、余剰分の前記黒樹脂インキを掻き落として、前記バインダを硬化させ、光吸収部を形成する工程と、
前記黒樹脂インキを掻き落とすときに形成される、前記光吸収部上の前記凹部と、前記プリズム部の頂部の前記凹部とに、導電材料を充填する工程と、
を備える、光学機能シートの製造方法。
【請求項８】
入射した光を制御して観察者側に透過する複数の層を有する光学フィルターであって、
前記複数の層のうち少なくとも１層が、請求項６に記載の光学機能シートからなる層である、光学フィルター。
【請求項９】
請求項８に記載の光学フィルターと、プラズマディスプレイパネルとを備える映像表示装置。
【発明の詳細な説明】
【技術分野】
【０００１】
本発明は、金型と、該金型の製造方法と、該金型を用いて作製できるプリズムシートと、該プリズムシートを有する光学機能シートと、該光学機能シートを有する光学フィルターと、該光学フィルターを備えた映像表示装置とに関する。
【背景技術】
【０００２】
プラズマディスプレイのような、映像を観察者に出射する映像表示装置には、映像源と、該映像源からの映像光の質を高めて観察者に出射するための各種機能を有する層を具備する光学フィルターとが備えられている。
【０００３】
プラズマディスプレイパネル（以下、「ＰＤＰ」という場合がある。）は、その構造や動作原理上、強度の電磁波を発生する。そのため、ＰＤＰに貼合される光学フィルターには、電磁波を遮蔽する電磁波遮蔽層が設けられることがある。
【０００４】
また、ＰＤＰは、観察者側が明るい場合はコントラストが不十分となり画像品質が低下する。そのため、ＰＤＰに貼合される光学フィルターには、コントラストを向上させるための層として、光を透過可能なプリズム部と光を吸収可能な光吸収部とを有し、外光を適切に遮蔽する外光遮蔽層が設けられることがある。
【０００５】
上記電磁波遮蔽層及び外光遮蔽層を備える光学フィルターを作製する場合、コスト削減などの観点から、両層を一体とした光学機能シートからなる層を含む光学フィルターを作製することが好ましいと考えられる。例えば、特許文献１には、透明基材に、四角形又は三角形の断面形状を有する線状の光吸収部が一定の間隔で連続して配置された視野角制御フィルムにおいて、該光吸収部が視野角制御領域全体に配置され、該光吸収部が導電性を有し、視野角制御フィルムの光吸収部が配置される間隔が、直交する二方向で異なることを特徴とする光学機能シート（視野角制御フィルム）が開示されている。
【先行技術文献】
【特許文献】
【０００６】
【特許文献１】特開２００８−２４２２３２号公報
【発明の概要】
【発明が解決しようとする課題】
【０００７】
特許文献１に開示されている発明によれば、電磁波の遮蔽、及びコントラストの向上を図ることができる光学機能シートを得られるとしている。しかしながら、特許文献１に開示されている光学機能シートは、製造が困難であると考えられる。特許文献１にかかる発明では、光吸収部が導電性を有している。また、視野角を制御するためには、光吸収部をある程度深く（シートの厚さ方向に厚く）形成する必要がある。しかしながら、導電材料は通常、ペースト状であり、深い溝に充填することが困難である。さらに、特許文献１には、光学機能シート層を得るための金型について言及されていない。シート面に沿い、かつ方向が異なる溝（光吸収部）を有するシートを連続で製造するためには、円周方向と該方向に交わる方向（幅方向）に連続して形成された溝を有する円柱状の金型が必要になると考えられる。このよう金型を作製する場合、円周方向に沿った溝を形成することは容易であるが、幅方向に溝を形成することは困難である。
【０００８】
そこで本発明は、幅方向に連続した溝がなくても格子状の層を形成することができる円柱状の金型、該金型の製造方法、該金型を用いて作製されるプリズムシート、該金型を用いることによって容易に作製できる、電磁波の遮蔽及びコントラストの向上を図ることができる光学機能シート、該光学機能シートを備えた光学フィルター、並びに該光学フィルターを備えた映像表示装置を提供することを課題とする。
【課題を解決するための手段】
【０００９】
以下、本発明について説明する。なお、本発明の理解を容易にするために添付図面の参照符号を括弧書きにて付記するが、それにより本発明が図示の形態に限定されるものではない。
【００１０】
請求項１に記載の発明は、円柱状であって、円周方向に沿って並列した複数の溝（２、２、…）が外周面に形成されており、該溝は、凹部（４、４、…）および凸部（３、３、…）を底に有し、該凹部および該凸部は、溝の長手方向において交互に形成されている、金型（１）を提供することにより、前記課題を解決する。
【００１１】
請求項２に記載の発明は、請求項１に記載の金型（１）において、溝（２、２、…）の長手方向に垂直な方向の断面形状が略台形であることを特徴とする。
【００１２】
請求項３に記載の発明は、請求項１または２に記載の金型（１）において、凹部（４、４、…）と凸部（３、３、…）との深さの差が、２μｍ以上１０μｍ以下であることを特徴とする。
【００１３】
請求項４に記載の発明は、円柱状体の外周面に、円周方向に沿って並列した複数の溝（２ａ、２ａ、…）を形成する、１次切削工程、および、１次切削工程で形成された溝の底に、凹部（４、４、…）と、凹部より浅く形成された凸部（３、３、…）とを、溝の長手方向において交互になるように形成する、２次切削工程、を含む、金型（１）の作製方法を提供することにより、前記課題を解決する。
【００１４】
請求項５に記載の発明は、光を透過可能に形成されたプリズム部（１１、１１、…）を基材層（３０）上に備え、プリズム部は、シート面に沿って複数並列するとともに、凸部（１４、１４、…）および凹部（１３、１３、…）を頂部に有し、凸部および凹部は、プリズム部の長手方向において交互に形成されている、プリズムシート（１０）を提供することにより、前記課題を解決する。
【００１５】
請求項６に記載の発明は、請求項５に記載のプリズムシート（１０）のプリズム部（１１、１１、…）間に、光を吸収可能な光吸収部（２３、２３、…）を備え、光吸収部上に形成された凹部（２２、２２、…）とプリズム部が有する凹部（１３、１３、…）とに、導電材料（２６）が充填されている、光学機能シート（２０）を提供することにより、前記課題を解決する。
【００１６】
請求項７に記載の発明は、基材層（３０）上に、光を透過可能に形成されたプリズム部（１１、１１、…）と、プリズム部間において光を吸収可能に形成された光吸収部（２３、２３、…）とを備え、プリズム部は、シート面に沿って複数並列するとともに、長手方向において交互に形成されている凸部（１４、１４、…）および凹部（１３、１３、…）を頂部に有し、光吸収部上に形成された凹部（２２、２２、…）およびプリズム部の頂部の凹部に導電材料（２６）が充填されている、光学機能シート（３０）の製造方法であって、請求項１〜３のいずれかに記載の金型（１）と基材層との間に、プリズム部を構成する樹脂を供給しつつ、基材層上で金型を回転させ、樹脂を硬化させることによって、基材層上に、凹部および凸部を頂部に有するプリズム部を形成する工程と、プリズム部間に、光吸収粒子（２５、２５、…）および光吸収粒子を分散させる樹脂からなるバインダを含む黒樹脂インキを充填し、余剰分の黒樹脂インキを掻き落として、バインダを硬化させ、光吸収部を形成する工程と、黒樹脂インキを掻き落とすときに形成される、光吸収部上の凹部と、プリズム部の頂部の凹部とに、導電材料を充填する工程と、を備える、光学機能シートの製造方法を提供することにより、前記課題を解決する。
【００１７】
請求項８に記載の発明は、入射した光を制御して観察者側に透過する複数の層を有する光学フィルターであって、複数の層のうち少なくとも１層が、請求項７に記載の光学機能シート（２０）からなる層である、光学フィルターを提供することにより、前記課題を解決する。
【００１８】
請求項９に記載の発明は、請求項８に記載の光学フィルターと、プラズマディスプレイパネルとを備える映像表示装置を提供することにより、前記課題を解決する。
【発明の効果】
【００１９】
本発明によれば、幅方向に連続した溝がなくても格子状の層を形成することができる円柱状の金型、該金型の製造方法、該金型を用いて作製されるプリズムシート、該金型を用いることによって容易に作製できる、電磁波の遮蔽及びコントラストの向上を図ることができる光学機能シート、該光学機能シートを備えた光学フィルター、並びに該光学フィルターを備えた映像表示装置を提供することができる。
【図面の簡単な説明】
【００２０】
【図１】本発明の金型を概略的に示した斜視図である。
【図２】（ａ）形成途中の金型の溝の一部を示す斜視図である。（ｂ）完成した金型の溝の一部を示す斜視図である。（ｃ）完成した金型の溝のうち１つの溝について、一部を示す断面図である。
【図３】本発明のプリズムシートの一部を概略的に示した斜視図である。
【図４】（ａ）図３に示したＩＶａ−ＩＶａにおけるプリズムシートの断面を概略的に示した図である。（ｂ）図３に示したＩＶｂ−ＩＶｂにおけるプリズムシートの断面を概略的に示した図である。（ｃ）図３に示したプリズムシートを概略的に示した平面図である。
【図５】本発明の光学機能シートの一部を概略的に示した斜視図である。
【図６】（ａ）図５に示したＶＩａ−ＶＩａにおける光学機能シートの断面を概略的に示した図である。（ｂ）図５に示したＶＩｂ−ＶＩｂにおける光学機能シートの断面を概略的に示した図である。
【図７】図６（ａ）に示した断面図の一部を拡大した図である。
【図８】導電材料が充填される前の本発明の光学機能シートの断面を概略的に示した図である。
【図９】実施例にかかる金型の断面および寸法を示した図である。
【図１０】実施例にかかるプリズムシートの一部の顕微鏡写真である。
【図１１】実施例にかかる光学機能シートの一部の顕微鏡写真である。
【発明を実施するための形態】
【００２１】
本発明の上記した作用及び利得は、次に説明する発明を実施するための形態から明らかにされる。以下本発明を図面に示す実施形態に基づき説明する。ただし、本発明はこれら実施形態に限定されるものではない。
【００２２】
１．金型
図面を参照しつつ、本発明の金型および金型の製造方法について説明する。図１は、本発明の金型１を概略的に示した斜視図である。図２は、図１に示した金型１の外周面に形成された溝２、２、…の形成方法を説明するための図である。図２（ａ）は、形成途中の溝２、２、…の一部を示す斜視図である。図２（ｂ）は、完成した溝２、２、…の一部を示す斜視図である。図２（ａ）および図２（ｂ）において、破線はかくれ線を意味している。図２（ｃ）は、完成した溝２、２、…のうち１つの溝について、一部を示す断面図である。図２（ｃ）の左右方向は、金型１の円周方向（溝２の長手方向）であり、紙面上側が金型１の外周面側である。また、図１及び図２では、見易さのため繰り返しとなる符号は一部省略している（以降に示す各図において同じ。）。
【００２３】
図１に示すように、本発明の金型１は円柱状であり、その円周方向に沿って並列した複数の溝２、２、…が外周面に形成されている。また、溝２、２、…は、図２（ｂ）および図２（ｃ）に示すように、深く形成された凹部４、４、…と、凹部４、４、…より浅く形成された凸部３、３、…とを有している。凹部４、４、…および凸部３、３、…は、溝２、２、…の長手方向において、所定の間隔で交互に形成されている。
【００２４】
このような金型１は、例えば、以下に説明する１次切削工程と２次切削工程とを経ることによって得られる。なお、１次切削工程および２次切削工程は、それぞれ複数回に分けて行われてもよい。
【００２５】
１次切削工程は、図２（ａ）に示すように、円柱状体の外周面に、円周方向に沿って並列した複数の溝２ａ、２ａ、…を形成する工程である。１次切削工程で形成される溝２ａ、２ａ、…は、円柱状体の円周方向一周に亘って深さを一定とする。なお、図２（ｃ）に示した破線は、溝２ａの底２ｂがあった位置を示している。
【００２６】
溝２ａの深さは特に限定されず、例えば、５０μｍ以上１５０μｍ以下とすることができる。また、溝２ａ、２ａ、…のピッチは特に限定されず、例えば、３０μｍ以上１００μｍ以下とすることができる。
【００２７】
溝２ａ、２ａ、…を形成する方法は特に限定されず、公知の方法によって形成できる。例えば、ダイヤモンドバイトを用いて切削することによって形成できる。
【００２８】
２次切削工程は、図２（ｂ）および図２（ｃ）に示すように、一次切削工程で形成された溝２ａ、２ａ、…の底２ｂ、２ｂ、…に、凹部４、４、…と、凹部４、４、…より浅く切削された凸部３、３、…とを形成する工程である。凹部４、４、…および凸部３、３、…は、溝２ａ、２ａ、…の長手方向において、所定の間隔で交互に形成する。
【００２９】
凹部４、４、…のピッチは特に限定されず、例えば、３０μｍ以上５００μｍ以下とすることができる。また、凹部４の長さ（溝２の長手方向に平行な方向の長さ）は特に限定されず、２０μｍ以上４７０μｍ以下とすることができる。さらに、凹部４と凸部３との深さの差ｘ（図２（ｃ）参照）は特に限定されないが、２μｍ以上１０μｍ以下であることが好ましい。凹部４と凸部３との深さの差が大きすぎると、後に詳述するプリズムシート１０から光学機能シート２０を得る際に、プリズムシート１０の凹部１３、１３、…にも光吸収部が形成される虞がある。また、凹部４と凸部３との深さの差が小さすぎると、光学機能シート２０を得る際に、プリズムシート１０の凹部１３、１３、…に充填する導電材料の量が不十分になる虞がある。
【００３０】
凹部４、４、…および凸部３、３、…を形成する方法は特に限定されず、公知の方法によって切削することができる。例えば、振動切削によって切削することができる。すなわち、バイトによって溝２ａの底２ｂを切削しつつ、バイトを振動（図２（ｃ）の上下方向に振動）させることによって、底２ｂとバイトとの距離を周期的に変えることにより、底２ｂを切削する深さをミクロンオーダーで変えることができるため、凹部４、４、…および凸部３、３、…を形成することができる。
【００３１】
なお、図２に示した形態では、凹部４、４、…および凸部３、３、…が、溝２ａ、２ａ、…の底２ｂ、２ｂ、…よりも深く形成される形態を例示したが、底２ｂ、２ｂ、…と凸部３、３、…とを同一面とし、凹部４、４、…のみ底２ｂ、２ｂ、…よりも深く切削して形成することもできる。すなわち、２次切削工程では、凹部４、４、…に相当する部分のみ切削し、２次切削工程で切削されなかった部分を凸部３、３、…とすることもできる。ただし、２次切削工程において底２ｂ全体に亘って切削する方が、外観がよくなるため好ましい。
【００３２】
金型１のもととなる円柱状体は、金型１の使用時の環境に耐え得るものであれば特に限定されず、例えば、表面を銅でメッキされた鋼材などを用いることができる。また、金型１の使用時に、金型１が腐食することを防止するなどの観点から、２次切削工程の後に、表面をクロムなどでメッキすることが好ましい。
【００３３】
上記のような本発明の金型によれば、円柱状の金型の幅方向に連続した溝を形成しなくとも、後に説明するように、格子状に溝（凹部）が形成されたプリズムシートを得ることができる。該プリズムシートを用いれば、複数並列した光吸収部と、格子状に導電材料が充填された電磁波遮蔽部とを有する光学機能シートを得ることができる。すなわち、簡易な構造の本発明の金型によって、電磁波遮蔽層としての機能と外光遮蔽層としての機能とを兼ね備えさせることができる光学機能シートを作製することができる。また、該プリズムシートを用いれば、導電材料からなる格子状の電磁波遮蔽部を有する電磁波遮蔽シートも得ることができる。すなわち、簡易な構造の本発明の金型によって、電磁波遮蔽層として機能させることができる電磁波遮蔽シートを作製することもできる。
【００３４】
２．プリズムシート
図面を参照しつつ、本発明のプリズムシートについて説明する。図３は、本発明のプリズムシート１０の一部を概略的に示した斜視図である。図４（ａ）は、図３に示したＩＶａ−ＩＶａにおけるプリズムシート１０の断面を概略的に示した図である。図４（ｂ）は、図３に示したＩＶｂ−ＩＶｂにおけるプリズムシート１０の断面を概略的に示した図である。図４（ｃ）は、図３に示したプリズムシートを概略的に示した平面図である。図４（ａ）および図４（ｂ）において、上下方向がプリズムシート１０の厚さ方向である。また、図４（ｃ）において、紙面奥／手前方向がプリズムシート１０の厚さ方向である。
【００３５】
図３に示すように、本発明のプリズムシート１０は、基材層３０上に、光を透過可能に形成されたプリズム部１１、１１、…を備えている。プリズム部１１、１１、…は、シート面に沿って複数並列している。プリズム部１１は、図３および図４（ｂ）に示すように、長手方向に垂直な方向の断面形状が略台形となっている。プリズム部１１、１１、…の略台形断面における短い上底（以下、「頂部」ということがある。）及び長い下底がプリズムシート１０のシート面に沿う方向に配置されている。そして、略台形断面における長い下底が基材層３０側に面する向きである。また、プリズム部１１の頂部には、凸部１４、１４、…と凹部１３、１３、…とが形成されている。凸部１４、１４、…および凹部１３、１３、…は、プリズム部１１の長手方向において、所定の間隔で交互に形成されている。すなわち、プリズムシート１０は、プリズム部１１、１１、…の間の溝１２、１２、…と、プリズム部１１、１１、…の頂部の凹部１３、１３、…とで、格子状となった溝を有する。
【００３６】
プリズム部１１、１１、…は、光を透過可能に形成するため、屈折率Ｎｐを有する光透過性樹脂で構成されている。当該樹脂として例えば、電離放射線、紫外線等により硬化する特徴を有する例えばウレタンアクリレートを挙げることができる。
【００３７】
基材層３０は、後で詳しく説明するプリズム部１１、１１、…を形成するための基材層としての層であり、ポリエチレンテレフタレート（ＰＥＴ）を主成分とすることができる。ただし、基材層３０は、ＰＥＴを主成分とする場合、他の樹脂が含まれてもよい。また、各種添加剤を適宜添加してもよい。一般的な添加剤としては、フェノール系等の酸化防止剤、ラクトン系等の安定剤等を挙げることができる。ここで「主成分」とは、基材層を形成する材料全体に対して５０質量％以上含有されているものを意味する（以下、同様とする。）。
【００３８】
なお、基材層３０の主成分は、必ずしもＰＥＴであることは必要なく、その他の材料でもよい。これには例えば、ポリブチレンテレフタレート、ポリエチレンナフタレート、テレフタル酸−イソフタル酸−エチレングリコール共重合体、テレフタル酸−シクロヘキサンジメタノール−エチレングリコール共重合体等のポリエステル系樹脂、ナイロン６等のポリアミド系樹脂、ポリプロピレン、ポリメチルペンテン等のポリオレフィン系樹脂、ポリメチルメタクリレート等のアクリル系樹脂、ポリスチレン、スチレン−アクリロニトリル共重合体等のスチレン系樹脂、トリアセチルセルロース等のセルロース系樹脂、イミド系樹脂、ポリカーボネート樹脂等を挙げることができる。また、これら樹脂中には、必要に応じて適宜、紫外線吸収剤、充填剤、可塑剤、帯電防止剤等の添加剤を加えても良い。
本実施形態では、性能に加え、量産性、価格、入手可能性等の観点からＰＥＴを主成分とする樹脂を好ましい材料であるとして説明した。
【００３９】
このようなプリズムシート１０は、本発明の金型１を用いて作製することができる。具体的には、金型１と基材３０との間に、プリズム部１１、１１、…を構成する樹脂を供給しつつ、基材３０上で金型１を回転させ、金型１と基材３０とで該樹脂を押圧し、該樹脂を硬化させる。そうすることによって、基材３０上に、金型１の溝２、２、…の形状に対応した形のプリズム部１１、１１、…、及び金型１の溝２、２、…の間に形成されている凸部５、５、…（図２参照）の形状に対応した形の溝１２、１２、…を有する帯状のプリズムシート１０を得ることができる。
【００４０】
このように、幅方向には連続した溝が形成されていない本発明の金型を用いて、格子状に溝（プリズム部間の溝およびプリズム部の頂部の凹部）が形成された、本発明のプリズムシートを得ることができる。また、本発明のプリズムシートを用いて、以下に説明する、複数並列した光吸収部と、格子状に導電材料が充填された電磁波遮蔽部とを有する光学機能シートを得ることができる。さらに、本発明のプリズムシートを用いれば、以下に説明する、導電材料からなる格子状の電磁波遮蔽部を有する電磁波遮蔽シートも得ることができる。
【００４１】
３．光学機能シート
図面を参照しつつ、本発明の光学機能シートについて説明する。図５は、本発明の光学機能シート２０の一部を概略的に示した斜視図である。図６（ａ）は、図５に示したＶＩａ−ＶＩａにおける光学機能シート２０の断面を概略的に示した図である。図６（ｂ）は、図５に示したＶＩｂ−ＶＩｂにおける光学機能シート２０の断面を概略的に示した図である。図６において、上下方向が光学機能シート２０の厚さ方向である。図７は、図６（ａ）に示した断面図の一部を拡大した図である。図８は、導電材料が充填される前の本発明の光学機能シート２０の断面を概略的に示した図である。
【００４２】
図５〜図７に示すように、本発明の光学機能シート２０は、プリズムシート１０のプリズム部１１、１１、…の間の溝１２、１２、…（図３および図４参照）に、光を吸収可能な光吸収部２３、２３、…を備え、光吸収部２３、２３、…上に形成される凹部２２、２２、…（図８参照）とプリズム部１１、１１、…が有する凹部１３、１３、…に導電材料２６が充填されている。
【００４３】
光吸収部２３、２３、…は、プリズム部１１、１１、…の間に配置され、図６〜図８に表れる断面において略三角形断面を有する要素である。当該三角形断面の底辺に相当する面がプリズム部１１、１１、…の頂部側に並列されている。ここで、光吸収部２３、２３、…の形状は外光を適切に吸収することが可能であれば適宜変更することが可能である。光吸収部２３、２３、…の三角形断面における斜辺は、光学機能シート２０のシート面の法線方向に対して０度以上１０度以下の角度をなしていることが好ましい。さらに好ましい角度は０度より大きく６度以下である。なお、当該角度が０度の場合、光吸収部２３、２３、…の断面は矩形となる。また、光吸収部２３、２３、…の上記斜辺の傾きは必ずしも一定である必要はなく折れ線状であってもよいし、曲線状であってもよい。
【００４４】
光吸収部２３、２３、…は、プリズム部１１、１１、…の屈折率Ｎｐと同じ、又は小さい屈折率Ｎｂを有する所定の材料により構成されている。このようにプリズム部１１、１１…の屈折率Ｎｐと光吸収部２３、２３、…の屈折率ＮｂとをＮｐ≧Ｎｂとすることにより、所定の条件でプリズム部１１、１１、…に入射した光源からの映像光を光吸収部２３、２３、…とプリズム部１１、１１、…との界面で適切に反射させ、観察者に明るい映像を提供することができる。ＮｐとＮｂとの屈折率の差は特に限定されるものではないが、０以上０．０６以下であることが好ましい。
また、本実施形態では上記のようにＮｐ≧Ｎｂの関係が好ましいが、必ずしもこれに限定されるものではなく、プリズム部の屈折率を光吸収部の屈折率よりも小さく形成することも可能である。
【００４５】
加えて、本実施形態における光吸収部２３、２３、…は、光吸収粒子２５、２５、…と、光吸収粒子２５、２５、…を分散したバインダと（以下、光吸収粒子と光吸収粒子を分散したバインダとを合わせて、「黒樹脂インキ」ということがある。）がプリズムシート１０の溝１２、１２、…に充填されることにより構成されている。すなわち、光吸収部２３、２３、…には、当該バインダによって構成されるバインダ部２４の中に光吸収粒子２５、２５、…が分散されている。かかる形態とすることにより、プリズム部１１、１１、…と光吸収部２３、２３、…との界面で反射せずに光吸収部２３、２３、…の内側に入射した映像光を、光吸収粒子２５、２５、…で吸収することができる。さらには所定の角度で入射した観察者側からの外光を適切に吸収することができ、コントラストを向上させることも可能となる。
このときバインダ部２４を構成するバインダが上記の屈折率Ｎｂである材料により構成される。当該バインダとして用いられるものは特に限定されないが、例えば、電離放射線、紫外線等により硬化する特徴を有するエポキシアクリレート等を挙げることができる。また、光吸収粒子２５、２５、…は、平均粒径が１μｍ以上であることが好ましい。当該光吸収粒子２５、２５、…は光吸収性を有していれば特に限定されるものではないが、黒色であることが好ましく、これには市販の粒子を用いることもできる。
【００４６】
光を吸収させるための手段は本実施形態のように光吸収粒子２５、２５、…による方法に限定されるものではない。他には例えば、顔料や染料により光吸収部全体を着色することを挙げることができる。
【００４７】
光吸収部２３、２３、…は、以下に説明するようにして形成することができる。すなわち、プリズムシート１０の溝１２、１２、…に上記した黒樹脂インキを充填し、余分な黒樹脂インキを掻き落とした後、溝１２、１２、…内の黒樹脂インキに含まれるバインダを硬化させることによって、光吸収部２３、２３、…を形成することができる。
【００４８】
上記のようにして光吸収部２３、２３、…を形成する際、余分な黒樹脂インキを掻き落とすときに、光吸収部２３、２３、…上に凹部２２、２２、…（図８参照）が形成される。また、プリズムシート１０の溝１２、１２、…に黒樹脂インキを充填する際に、プリズム部１１、１１、…の凹部１３、１３、…にも黒樹脂インキが充填されるが、余分な黒樹脂インキを掻き落とすときに、凹部１３、１３、…に充填された黒樹脂インキの多くは取り除かれる。
【００４９】
光学機能シート層２０を製造するには、上記のようにして光吸収部２３、２３、…を形成した後、光吸収部２３、２３、…上に形成された凹部２２、２２、…とプリズム部１１、１１、…が有する凹部１３、１３、…に導電材料２６を充填する。本発明の光学機能シート層に用いることができる導電材料としては、例えば、アクリル系、エポキシ系、ポリエステル系、フェノール系などの透明樹脂に、ナノ〜数ミクロンの粒径を有する銀粒子を分散した銀ペーストが挙げられる。このような導電材料は、充填後に熱硬化や熱乾燥により硬化させることが好ましい。
【００５０】
このようにして製造された光学機能シート２０は、１層で、入射した電磁波を遮蔽する機能と、入射した映像光のコントラストを向上させる機能とを併せ持つ。すなわち、プリズム部１１、１１、…と光吸収部２３、２３、…とで入射した映像光のコントラストを向上させ、格子状に導電材料２６が充填された電磁波遮蔽部で入射した電磁波を遮蔽することができる。かかる形態とすることによって、２つの層を別々に製造して積層する場合に比べ、コストの低減を図ることができる。
【００５１】
また、本発明の光学機能シートによれば、可視光の透過率の低下を抑制することもできる。すなわち、可視光が透過しない部分（光吸収部および導電材料が充填された部分の一部）を重ねることで、可視光の透過率の低下を抑制することもできる。
【００５２】
さらに、本発明の光学機能シートは、構成が簡易な本発明の金型を用いて簡単に連続して製造することができる。すなわち、幅方向には連続した溝が形成されず、円周方向にのみ溝が形成された円柱状の金型を用いて、並列した光吸収部および格子状に形成された電磁波遮蔽部を有する光学機能シートを得ることができる。
【００５３】
５．電磁波遮蔽シート
電磁波遮蔽シートは、プリズムシート１０のプリズム部１１、１１、…の間の溝１２、１２、…（図３および図４参照）とプリズム部１１、１１、…が有する凹部１３、１３、…とに導電材料を充填されることによって得られる。すなわち、電磁波遮蔽シートは、本発明の光学機能シートの光吸収部に相当する部分及び電磁波遮蔽部に相当する部分を、電磁波遮蔽部とする。電磁波遮蔽シートに用いることができる導電性材料としては、導電性を有するものであれば限定されず、本発明の光学機能シートに用いることができるものと同様のものを用いることができる。
【００５４】
上記電磁波遮蔽シートは、格子状に溝が形成されていない本発明の金型を用いて作製することができる。かかる形態とすることによって、格子状に溝を形成した金型を事前に製造する必要がないので、容易に作製することができる。
【００５５】
６．光学フィルター
本発明の光学フィルターは、ここに入射した光を観察者にとって適切な光として透過させ、出射させるシート状の部材である。本発明の光学フィルターは、複数の層を有しており、該複数の層のうち少なくとも１層は、本発明の光学機能シートからなる層である。また、用途に応じてその他の様々な機能を有する層が備えられる。
【００５６】
本発明の光学シートに備えられ得るその他の層としては、従来の光学フィルターに用いられていたものを特に限定することなく用いることができる。具体的には、波長フィルタ層、防眩層、反射防止層、粘着剤層、ハードコート層等を挙げることができる。これらの層の積層順、及び積層数は、光学フィルターの用途に応じて適宜決定される。以下、これらの層の機能などについて説明する。
【００５７】
波長フィルタ層は、所定の波長の光をフィルタリングする機能を有する層である。フィルタリングされるべき波長は必要に応じて適宜選択することができるが、ＰＤＰから出射されるネオン線をカットしたり、赤外線、近赤外線や紫外線をカットしたりする層を挙げることができる。
【００５８】
防眩層は、いわゆるぎらつきを抑制する機能を有する層であり、アンチグレア層、ＡＧ層と呼ばれることもある。このような防眩層としては市販のものを用いることができる。
【００５９】
反射防止層は最も観察者側に配置されて外光の反射を防止する機能を有する層である。これによれば、外光が光学フィルターの観察者側面で反射して観察者側へ戻って、いわゆる映り込みが生じて映像が見え難くなることを抑制することができる。このような反射防止層は、市販の反射防止フィルムを用いる等して構成することが可能である。
【００６０】
粘着剤層は、粘着剤が配置される層である。該粘着剤としてアクリル系粘着剤を挙げることができる。ただし、必要な光透過性、粘着性、耐候性を得ることができれば粘着剤はこれに限定されるものではない。また、層構成によっては、色素の劣化を防止するために、紫外線を吸収する効果のあるＵＶ吸収剤（ベンゾトリアゾールなど）を粘着剤に含めることが望ましい。
【００６１】
ハードコート層は、ＨＣ層とも呼ばれることもある。これは、画像表示面に傷がつくことを抑えるために耐擦傷性を付与することができる機能を有するフィルムが配置された層である。
【００６２】
７．映像表示装置
本発明の映像表示装置は、本発明の光学フィルターと、プラズマディスプレイパネルとを備える。映像光源であるＰＤＰの映像光出射側に、粘着剤層などを介して本発明の光学フィルターを貼合することによって、本発明の映像表示装置を構成することができる。
【実施例】
【００６３】
以下、実施例により本発明をさらに詳しく説明する。ただし本発明は実施例に限定されるものではない。
【００６４】
（実施例１）
図９は、実施例１にかかる金型の断面および寸法を示した図である。図９（ａ）および図９（ｂ）は、円柱状の金型の中心軸に平行な断面の一部を示している。図９（ｃ）は、円柱状の金型の中心軸に垂直な断面の一部を示している。図９において、図２と同様の構成のものには同符号を付している。また、図９において、紙面上側が、金型の外周面側である。
【００６５】
図９に示すように、溝２、２、…の底の幅が０．０５２ｍｍ、溝２、２、…のピッチが０．０７３ｍｍ、溝２、２、…の間の凸部５、５、…の頂部の幅が０．００７ｍｍ、溝２、２、…の凹部４、４、…における深さが０．１１０ｍｍ、溝２、２、…の凸部３、３、…における深さが０．１０５ｍｍ、凹部４、４、…のそれぞれの長さ（溝２の長手方向における長さ）が０．０２５ｍｍ、凹部４、４、…のピッチが０．２５０ｍｍである金型を作製した。
【００６６】
上記金型とＰＥＴフィルム（東洋紡株式会社製、商品名「コスモシャイン  Ａ４３００」、厚さ１００μｍ）との間に紫外線硬化樹脂を供給し、紫外線を照射して該樹脂を硬化させた後、金型から離型し、実施例１にかかるプリズムシートを作製した。図１０に、得られたプリズムシートの一部の顕微鏡写真を示す。図１０（ｂ）は図１０（ａ）より高倍率で撮影したものである。
【００６７】
得られた上記プリズムシートの溝に、カーボンブラック２５質量％を含有したアクリルスチレンビーズ（光吸収粒子）を紫外線硬化樹脂（バインダ）に１５質量％分散させた黒樹脂インキを充填し、ドクターブレードで余剰分の黒樹脂インキを掻き落として、紫外線を照射して溝に残った黒樹脂インキに含まれるバインダを空気中で硬化させ、光吸収部を形成した。なお、ドクターブレードで余剰分の黒樹脂インキを掻き落とすと、光吸収部上には凹部（図８に示した凹部２２参照）が形成され、プリズム部が有する凹部（図３および図４に示した凹部１３参照）に充填された黒樹脂インキは多くが掻き落とされるため、プリズムシートの表面には、光吸収部上の凹部とプリズム部が有する凹部とによって、格子状の溝が形成されている。この格子状の溝に、導電材料（藤倉化成株式会社製、商品名「ドータイトＦＡ３３３」）を充填して、実施例１にかかる光学機能シートを作製した。図１１に、得られた光学機能シートの一部の顕微鏡写真を示す。図１１（ａ）および図１１（ｂ）は光学機能シートの断面および上面を示し、図１１（ｃ）は光学機能シートの上面を示している。
【００６８】
（実施例２）
実施例１と同様にして作製したプリズムシートに、実施例１で用いたのと同様の導電材料を充填した。すなわち、プリズム部間の溝とプリズム部が有する凹部とに導電材料を充填した電磁波遮蔽シートを作製した。
【００６９】
＜４端子抵抗測定＞
上記のようにして作製した実施例１および実施例２にかかるシートについて、４端子抵抗測定を行った。その結果を表１に示す。
【００７０】
【表１】
0005477072.tif 000002
【００７１】
実施例１にかかるシートは、抵抗値が低く、電磁波遮蔽層として機能し得るものであった。また、実施例１にかかるシートは、外光遮蔽層としての機能も兼ね備えているため、別に外光遮蔽層を設ける必要がなく、コストの点で優れている。実施例２にかかるシートは、抵抗値が低く、電磁波遮蔽層として優れた機能を有している。また、実施例２にかかるシートは本発明の金型を用いて作製されており、容易に作製することができた。すなわち、円柱状の金型の円周方向にのみ連続した溝が形成された金型によって、容易に作製することができた。したがって、本発明の金型によれば、電磁波遮蔽層としての機能と外光遮蔽層としての機能とを兼ね備えさせることができ、コストの点で優れたシートも、電磁波遮蔽層として優れた機能を発揮させることができるシートも、容易に作製することができる。
【００７２】
以上、現時点において実践的であり、かつ好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う金型、金型の製造方法、プリズムシート、光学機能シート、光学機能シートの製造方法、光学フィルター、及び映像表示装置も本発明の技術的範囲に包含されるものとして理解されなければならない。
【符号の説明】
【００７３】
１  金型
２  溝
２ａ  溝
２ｂ  底
３  凸部
４  凹部
５  凸部
１０  プリズムシート
１１  プリズム部
１２  溝
１３  凹部
１４  凸部
２０  光学機能シート
２２  凹部
２３  光吸収部
２４  バインダ部
２５  光吸収粒子
２６  導電材料
３０  基材層
【図１】
0005477072.tif 000003
【図２】
0005477072.tif 000004
【図３】
0005477072.tif 000005
【図４】
0005477072.tif 000006
【図５】
0005477072.tif 000007
【図６】
0005477072.tif 000008
【図７】
0005477072.tif 000009
【図８】
0005477072.tif 000010
【図９】
0005477072.tif 000011
【図１０】
0005477072.tif 000012
【図１１】
0005477072.tif 000013